(57)【要約】【課題】角形濾板間に対向する２枚のペア濾材を挟持させ、その濾材の装脱着が容易で、極めて単純構造である密閉型単葉式濾過室構造体は、センター軸合わせで、複数個を容易に連結させてなるセンターフィード密閉型単葉式フィルタープレスを提供することである。【解決手段】角形濾板１ａ，１ｂの中央部に貫通する原液供給口１０及びその四隅近傍に穴型の濾液排出孔９を設け、濾板内側中央に円盤型のスペーサー部材３が取り外し自在に係止され、そのスペーサー部材３には、同心円状に貫通する液導入孔６と、その液導入孔６に直交する液分散孔７を有し、濾板締付け時に、スペーサー部材３の両端面と、互いに当接する濾板の両内側面と間に、四隅と中央部に円形穴を有するペア角形濾材２ａ，２ｂの中央部円形穴の周辺縁面が密着して挾持された密閉型単葉式濾過室構造体及びその複数個を連結させたセンターフィード密閉型単葉式フィルタープレスである。【選択図】　図１
2004057921.tif 000002
【特許請求の範囲】
【請求項１】
四隅と中央部に円形穴を有する２枚のペア角形濾材が、対向する角形濾板間に、スペーサー部材を介して対向するように装着されている密閉型の単葉式濾過室構造体において、
前記濾板の中央部には貫通する原液供給口及びその四隅近傍には濾液排出孔を設け、且つ濾板内側中央部位には円盤型の前記スペーサー部材が取り外し自在式に係止され、
前記スペーサー部材には、同心円状に貫通する液導入孔と、その液導入孔に直交する複数個の液分散口とを有し、
濾板締付け時には、前記スペーサー部材の両端面と、それぞれ当接する濾板の両内側面と間に、前記ペア濾材中央部の各円形穴の周辺縁面とが、且つ前記ペア濾材の周縁部面は合わさって互いに当接する濾板のフランジ面間に、それぞれ密着するように挾持されていることを特徴とする密閉型単葉式濾過室構造体。
【請求項２】
前記液分散口が、スペーサー部材の外周側面に沿って等間隔の少なくとも３箇所に前記液導入孔に向け直交する貫通孔として設けられていることを特徴とする請求項１に記載の密閉型単葉式濾過室構造体。
【請求項３】
前記スペーサー部材の一方の端面に、同心円状の凸形突起部を有し、且つその他方端面に、同心円状で前記凸形突起部と少なくとも同径の凹形堀込み部を有し、前記凸形突起部及び前記凹形堀込み部は、濾板締付け時にそれぞれ互いに対面する一方の濾板の前記原液供給口の周部に設ける凹形堀込み部及び対向する他方濾板の前記原液供給口の周部に設ける凸形部とが、互いに雄雌の関係で嵌合していることを特徴とする請求項１又は２に記載の密閉型単葉式濾過室構造体。
【請求項４】
前記濾板の濾過面が、前記スペーサー部材部位の方向にテーパーを有していることを特徴とする請求項１〜３の何れかに記載の密閉型の単葉式濾過室構造体。
【請求項５】
対向する角形濾板間の内側面にリング状パッキンを設け、且つその四隅は前記濾液排出孔を外側から囲むような部位に位置していることを特徴とする請求項１〜４の何れかに記載の密閉型単葉式濾過室構造体。
【請求項６】
前記角形濾材の外周端は、前記パッキンの内側に位置し、且つ前記角形濾材は、その四隅の円形穴と前記濾液排出孔とが、又その中央部の円形穴と前記スペーサー部材の液導入孔とが、それぞれ対応するように装着されていることを特徴とする請求項１〜５の何れかに記載の密閉型単葉式濾過室構造体。
【請求項７】
対向する角形濾板内に、前記スペーサー部材を介して、前記ペア角形濾材が挟持されてなる請求項１〜６の何れかに記載する密閉型単葉式濾過室構造体の複数個を締付け連結させてなるセンターフィードの密閉型単葉式フィルタープレスにおいて、
前記一方の濾板の外側面を、新たに対向する片方の濾板面とし、且つ新たに前記同様に貫通する原液供給口を有する前記同様の濾板とを対向させてなる新たな密閉型の単葉式濾過室構造体を設け、
前記同様のスペーサー部材を前記同様に係止させ、そのスペーサー部材を介して前記同様の２枚のペア濾材を、前記同様に装着させてなる密閉型単葉式濾過室構造体の少なくとも１個以上の複数個を新たに開閉式に順次締め付け連結させ、前記原液供給口と前記液導入孔とを通じて原液供給方向の最端側に位置する密閉型単葉式濾過室構造体の前記スペーサー部材は、その一方端面の液導入孔の口が、当接する最端濾板の内側面で封止されていることを特徴とするセンターフィード密閉型単葉式フィルタープレス。
【請求項８】
請求項７に記載するセンターフィード密閉型単葉式フィルタープレスを用いて、不純物又は製品なる懸濁物を含有する原液を濾過処理させ懸濁物と清澄液とに濾別する濾過方法において、
所定圧の前記原液を、原液供給側最端の濾板に設ける前記原液供給口に連通する前記各スペーサー部材の液導入孔を介して、併設させて設けられている複数個の各密閉型単葉式濾過室構造体へ略同時に供給させ、
連結されている各前記スペーサー部材の各液分散口から、それぞれの各ペア濾材間に、略前記所定圧の前記原液を分散・導入させ、
前記各ペア濾材を介して懸濁物を濾別させ、清澄濾液を濾板面の各四隅に向けて前記各濾液排出孔に連絡するように設ける濾液流出孔を介して各濾液排出孔へ排出させることを特徴とする濾過方法。
【発明の詳細な説明】
【０００１】
【発明の属する技術分野】
本発明は、センターフィード密閉型単葉式フィルタープレスに関し、より詳細には、対向する角形濾板間に対向する２枚のペア濾材を挟持させ、その濾材の装脱着が容易で、しかも、濾過室が極めて単純な密閉型の構造体であって、この濾過室構造体の複数個を開閉式に締め付け連結させてなるセンターフィード密閉型単葉式フィルタープレス及びその濾過方法に関する。
【０００２】
【従来の技術】
従来から固形分を懸濁含有する溶剤を含む液状有機化合物から固形分懸濁物を分離するために、密閉型の濾過機が使用されている。その濾別される懸濁物が不用物である場合には、濾液として清澄な溶剤を含む液状有機化合物が回収され、その濾別される懸濁物が有用物である場合には、液状有機化合物等は濾液として分離される。このような密閉系での濾過処理操作は、従来から医薬・工業薬品、多くの化成品等の化学関連製造業において多く実施されている。また、このような揮発・飛散性に富む溶剤、液状有機化合物の多くは、人体及び生物体には有害物質であり、これらの化合物の揮発・飛散・漏洩に関連して各種の環境汚染の発生要因になったり、また、取り扱う職場環境の労働安全衛生等の観点から、このような有機系固液混合溶液の濾過処理は、非開放系であることが不可欠である。
【０００３】
そこで、従来から多くの密閉型濾過装置が提案されている。例えば、特開昭５９−５５３２１号公報には、一対の濾材の原液供給口の周りを、それぞれ原液供給口を有する円盤型の内板と外板で挟み締め付けられている一対の濾材が、対向する濾板間に挟持され、且つ対面する濾板の原液供給口周部に設ける円筒型シール部材の内周面に嵌合して円筒型のスペースー部材が設けられ、濾板の締め付け時には、このスペーサー部材の円周部に所定間隔で設ける突起部が一方の濾材に設ける貫通部を通して、他方の濾材の内板に当接させて、一対の濾材間に間隙を持たせて原液を供給できる濾過室が形成させている密閉型フィルタープレスが提案されている。
【０００４】
また、特開平８−２８１０１７号公報には、密閉型濾過機として、鏡板状のケーシング上蓋と、濾液排出口等を具備し、上面端に環状の凸状を設ける板状のケーシング下蓋とを積み重ねて濾過室を形成し、各濾過室内に平坦な濾過材を水平に張設し、加圧又は減圧により下向流で濾過をする密閉型濾過機が提案されている。
【０００５】
また、特開平９−１０５１２号公報には、図６（ａ）、（ｂ）に図示するごとく、中央部に原液供給口１００を有する対向する濾板７０又はダイヤフラム８０の各両面に、濾板７０等を包むように展張させた二枚の中央部に穴の開いた濾過布５０と、濾板の締め付け時に二枚の濾過布５０が一体化するように、その原液供給口１００周縁部を覆うように連結布６０で縫着させて一体化させた濾布を備えたセンターフィード型フィルタープレスが提案されている。
【０００６】
【発明が解決しようとする課題】
以上のように従来から、食品工業を含む医薬・工業薬品、各種の化成品、塗料、インキ、接着・粘着剤等の化学関連製造分野では、懸濁含有する固形物を濾別させて、液状有機化合物を清澄な濾液として回収再利用する又はその液状有機化合物が製品であれば精製する又はその懸濁物が製品であれば製品を回収する等の目的で密閉型の濾過装置が多く使用されている。
【０００７】
特に、揮発・飛散性に富む有機溶剤を含む他の液状有機化合物等を取り扱う分野では、従来から、労働安全衛生上の取扱品として、また、大気汚染を含む地球環境への汚染及び職場環境の労働安全衛生等の立場から、このような揮発・飛沫性の有機溶剤や、他の液状有機化合物である例えば各種モノマーや、低重合物等の液状有機化合物に係わる固液混合溶液（懸濁溶液）の取り扱いには、密閉型濾過装置が不可欠である。また、既に上述する如く、これらの有機溶剤、液状有機化合物の多くは、人体を含めあらゆる生物体に対して無害ではない。また、大気中での開放作業では火災や爆発等の危険を有し、更には、空気中の酸素による変質や、刺激・異臭の発生要因にもなり、従って、このような濾過処理を開放系で実施させることは望ましくない。
【０００８】
そこで、既に上述した公報を含め従来から密閉型濾過装置が多く提案されている。しかしながら、濾過室を形成させる濾材の装脱着が煩雑で、形成される濾過室が構造的に複雑である。また、特に対向するペア濾材を濾過システムに使用するような濾過装置において、濾材の装着方法及び濾材の形状が複雑で又その対処法が煩雑である。また、上述するような目的で用いられる濾過装置の濾過系が密閉型であるが、多頻度で開閉させる等から、濾過室の構造が単純で、その濾過室に係わる濾材の装脱着が容易であることが重要であることから、未だ充分満足されるに至っていないのが実状である。
【０００９】
従って、本発明の目的は、このような濾過処理を実施させるに、濾過操作が密閉系であって、濾材の装脱着の容易さに係わって形成される濾過室の構造が、著しく単純な構造体であって、しかも、濾過の操作性に優れる観点から原液の供給がセンターフィード式である密閉型単葉式フィルタープレス及びそれを用いる濾過方法を提供することである。
【００１０】
【課題を解決するための手段】
そこで、本発明者らは、上記課題を解決すべく鋭意検討し、濾過室の形成を角型濾板を対向させた密閉型の単葉式濾過室構造体として、その濾過室を構造的に著しく単純化させることを課題に、特に対向するペア濾材の装着及び脱着が容易に行えることに着目させて、その濾過室を濾板の中央部に設けるスペーサー部材を介して形成させ、しかも、原液供給孔をスペーサー部材に設けることで、原液供給をセンターフィード式である密閉型の単葉式の濾過室構造体を見出すことができ、本発明を完成させるに至った。
【００１１】
本発明によれば、対向する角形濾板間の濾板の中央部位に、取り外しが自在で、且つ原液供給口を兼ねるスペーサー部材を設け、しかも、このスペーサー部材を介して、２枚のペア濾材を濾板内に挟持させたセンターフィードを可能にさせることを特徴とする密閉型の単葉式濾過室構造体を提供する。
【００１２】
すなわち、四隅と中央部に円形穴を有する２枚のペア角形濾材を、対向する角形濾板間に、スペーサー部材を介して対向するように装着され、このペア角形濾材間が密閉された濾過室である。この濾板の中央部には貫通する原液供給口及びその四隅近傍には穴型の濾液排出孔が設けられている。この濾板内側中央部位に係止される厚円盤型のスペーサー部材が、適宜自在に取り外しができるように濾板間に係止されている。
【００１３】
また、このスペーサー部材には、同心円状に貫通する液導入孔と、その液導入孔に貫通直交して設ける複数個の液分散口を有している。濾板締付け時には、スペーサー部材の両端面と、互いに当接する濾板の両内側面と間には、ペア濾材中央部の各円形穴の周辺縁面とが、且つ前記ペア濾材の周縁部面は合わさって互いに当接する濾板のフランジ面間に、それぞれ密着するように挾持されている密閉型単葉式濾過室構造体である。
【００１４】
また、本発明によれば、このような対向する角形濾板内に、上述するスペーサー部材を介して、ペア角形濾材が挟持されてなる密閉型単葉式濾過室構造体を複数個を締付け連結させてなることを特徴とするセンターフィード密閉型単葉式フィルタープレスを提供する。
【００１５】
すなわち、対向する角形濾板内に、上述したスペーサー部材を介して、ペア角形濾材が挟持されてなる密閉型単葉式濾過室構造体である一方の濾板の外側面を、新たに対向する片方の濾板面とし、且つ新たに同様の貫通孔の原液供給口を有する同様の濾板とを対向させてなる新たな密閉型単葉式濾過室構造体を設ける。
【００１６】
同様にして、同様のスペーサー部材を同様に係止させ、そのスペーサー部材を介して同様の２枚のペア濾材を、同様に装着させて密閉型単葉式濾過室構造体の少なくとも１個以上の複数個を新たに開閉式に順次締め付け連結させる。
【００１７】
このように複数個の密閉型単葉式濾過室構造体を連結された状態にあって、原液供給口と各スペーサー部材の液導入孔に通じる原液供給方向の最端側に位置する密閉型単葉式濾過室構造体におけるスペーサー部材は、その一方端面の液導入孔の口が、当接する最端濾板の内側面で封止されている。
【００１８】
更にはまた、本発明によれば、このようなセンターフィード密閉型単葉式フィルタープレスを用いて、不純物又は製品としての固形分懸濁物を含有する原液を濾過処理させて懸濁物と清澄液とに分離・回収する濾過方法を提供する。
【００１９】
すなわち、所定圧の上述する原液を、原液供給側最端の濾板に設ける前記原液供給口に連通する前記各スペーサー部材の液導入孔を介して、並列させて設けられている複数個の各密閉型単葉式濾過室構造体へ略同時に供給される。連結されている各スペーサー部材の各液分散口から、それぞれの各ペア濾材間に（濾過室）、略同所定圧の原液が分散・導入される。各濾過室の濾材を介して懸濁物が濾別されて、清澄濾液が、濾板面の各四隅の濾液排出孔に向けて、この濾液排出孔に連絡するように設けられている濾液流出孔を介して各濾液排出孔へ排出（回収）させることができる。
【００２０】
（作用）
以上から、本発明による密閉型単葉式濾過室構造体において、対向する角形濾板間の中央部位に、例えば雄雌（又は凹凸状物）の嵌合関係で係止されて、自在に取り外しができるスペーサー部材を設けたことが本発明の特徴である。また、対向する濾板を締め付けることによって、このスペーサー部材を介してこの濾板間に２枚のペア濾材で構成する濾過室が形成される。また、この密閉型単葉式濾過室構造体の濾板間の中央部位に設けるスペーサー部材には、原液の供給・分散口を設けていることから、この濾過室へ導入される原液の供給は、センターフィード方式となる。しかも、濾過室が形成される濾板の締め付け時には、スペーサー部と濾板間に挟持される濾材部が、係止されるスペーサー部材周部の要シール部に挟持される。このような構造的な特徴を有する密閉型単葉式濾過室構造体の複数個を、このような特徴を有するセンター軸合わせで連結させてなる密閉型単葉式フィルタープレスは、濾材の装脱着を著しく容易で、また、濾過室は極めて単純構造の密閉型単葉式の濾過構造体である。
【００２１】
【発明の実施の形態】
以下に、図１〜図５を参照しながら、本発明による密閉型濾過室としての密閉型単葉式濾過室構造体及びその複数個を連結させたセンターフィード密閉型単葉式フィルタープレスの実施の形態について更に説明する。
【００２２】
既に上述した如く、本発明による密閉型単葉式濾過室構造体は、対向する角形濾板間に角形のペア濾材が、濾板内側の中央部位に取り外しが自在式に装着（係止）されたスペーサー部材を介して、濾板を締め付けることにより濾過室を形成するように挟持され、しかも、濾板の中央部に位置するスペーサー部材には、供給される原液の液導入孔及び複数個の液分散口が設けられ、この液分散口から原液が、濾過室内に放射流状に導入されることを特徴としている。その結果、このようなスペーサー部材を設けることにより、本発明による密閉型単葉式濾過室構造体は、センターフィード式の濾過システムを提供することが特徴である。
【００２３】
そこで、以下に図１、図４を参照しながら本発明による密閉型単葉式濾過室構造体の実施の形態について更に詳細に説明する。
【００２４】
図１に図示する密閉型単葉式濾過室構造体２０の概念断面図は、図４（ａ）に図示する密閉型単葉式濾過室構造体の平面図で表される濾板の対角線Ｇ１Ｇ２方向の切断面である。図１において、対向する２枚の濾板１ａ，１ｂは、実施の形態において対向させて引き締めることで、対向濾板［１ａ−１ｂ］が形成される。対向濾板［１ａ−１ｂ］間の内側の中央部位には、スペーサー部材３が、一方の端面の凸形突起部３ａと、一方の濾板１ａの対向面側の中央部位に有する原液供給口１０の周縁部に設ける凹形部１０ｂとが雄雌の関係で嵌合する。また、他方の端面の凹形部３ｂと、他方の濾板１ｂの対向面側の中央部位に有する原液供給口１０の周縁部に設ける凸形部１０ａとが雄雌の関係で嵌合する。これによって、スペーサー部材３は、その両端面が嵌合するようにして濾板［１ａ，１ｂ］間に係止（装着）されている。これによって、両濾板１ａ，１ｂの中央部位の原液供給口は、［濾板１ａの原液供給口１０−スペーサー部材３の液導入孔６−濾板１ｂの原液供給口１０］として連結されていることが判る。
【００２５】
対向する両濾板１ａ，１ｂ間には、角形のペア濾材２ａ，２ｂが装着されている。すなわち、図１に図示する如く、一方の濾板１ａの両側の濾過面に面してそれぞれ濾材２ａ，２ｂが、また、他方の対向濾板１ｂの両側の濾過面に面してそれぞれ濾材２ｂ，２ａが装着されている。本発明においては、既に上述した如くこの角形濾材は、図４（ｂ）に図示するように四隅近傍に円形穴５ａが、その中央部には円形穴５ｂを有する濾材が適宜好適に使用することができる。図１において、この四隅に円形穴５ａは、角形濾板の四隅に設ける濾液排出孔９の部位に対面し、また、濾材中央部の円形穴５ｂは、濾板中央部位の原液供給口１０の部位に対面している。本発明においては、図１に図示する如く、濾板の締付け時には、スペーサー部材の両端面の３ａ（凸型突起部面）、３ｂ（凹形堀込み部面）と、互いに当接する濾板の両内側面の１０ｂ（原液供給口凹形部面）、１０ａ（原液供給口凸形部面）と間に、ペア濾材２ａ，２ｂの中央部の円形穴５ｂの周辺縁面が密着するように挾持されている。
【００２６】
本発明においては、この濾材中央部の円形穴５ｂの周辺縁面が、図示する如く当接するスペーサー部材と濾板内側面と間に密着するように挟持されるので、特に拘らない限りにおいてシール材を設けなくとも、挟持されている濾材を通じて原液が濾液に漏洩することがない。本発明はシール材使用の可否に特に限定されるものではなく、必要に応じて、図１に図示されていないが、例えば、スペーサー部材の両端面の［３ａ（凸型突起部面）−濾板の内側面の１０ｂ（原液供給口凹形部面）］及びスペーサー部材の両端面の［３ｂ（凹形堀込み部面）−濾板の内側面の１０ａ（原液供給口凸形部面）］と間に適宜シール材を装着することができる。
【００２７】
以上から、本発明において、対向する角形濾板［１ａ−１ｂ］間内には、２枚の角形ペア濾材２ａ，２ｂが、上述したように係止されているスペーサー部材３とこの濾板の周縁部とを介して密閉された濾過室を形成していることになる。また、図１に図示されているように、このスペーサー部材３の液導入孔６に直交している液分散口７が、この濾過室に面して構成されている。更には、このスペーサー部材３がこの濾板間の中央部位に設けられていることから、この液分散口７から、原液が［濾板の原液供給口１０−スペーサー部材３の液導入孔６−液分散口７］を流路としてこの濾過室に導入される。従って、本発明による密閉型単葉式濾過室構造体を用いることにより、センターフィード式の濾過室を適宜提供することができる。
【００２８】
また、濾板の内側表面を図示する図４を参照すると、この原液供給口１０は濾板１の中央部に位置している。この原液供給口１０にスペーサー部材３の［液導入孔６−液分散口７］が直結していることから、原液の供給をセンターフィード式にさせる濾過機を提供できることがよく判る。
【００２９】
また、図１には図示されていないが、本発明においては、この角形濾板［１ａ−１ｂ］間内に挟持されている２枚の角形ペア濾材２ａ，２ｂは、例えば、図４に図示されている濾板１面上に設ける支持部材の金網１１上に張られることになる。従って、本発明においては、この濾板と濾材と間の間材として設ける支持部材の金網１１面が、濾板の実効濾過面となっている。また、本発明においては、このような金網状の間材に必ずしも限定するものではなく、例えば、多孔板であってもよいが、好ましくは、金網体は材料の低廉性、又はその濾板面の形状にも容易に可変対処させられ、適宜濾過面上の支持体を形成させることができる。
【００３０】
また、図１に図示されている濾板１ａ，１ｂの濾過面が、濾板の中央部に係止されているスペーサー部材３の部位方向にテーパーを有している。すなわち、この濾過面の形状は、本発明においては、必ずしもこのようなテーパー形状に限定するものではない。例えば、図示されていないが、角形掘り込み形状（堀炬燵のような掘り込み形状）であってもよい。そこで、供給する原液の種類、すなわち、濾過する対象が懸濁する製品固形分を回収するのか、または、懸濁する固形不純物を濾別させて清澄な濾液を回収するのか等の何れかの種類にもよる。例えば、後者の方であれば、濾過室の容積を比較的に小さくてもよく、より清澄な濾液を回収する観点から、濾板間に濾材をより安定に挟持させられる傾向にあることから、好ましくは濾過面が図１に図示するテーパー形状である方が、濾材の支持がより安定化の傾向にある。その結果、濾板締め付け後の濾板１ａ，１ｂ間における濾材２ａ，２ｂの周縁部及びスペーサー部材と濾板間における濾材２ａ，２ｂの中央部円形５ｂ［図４（ｂ）を参照］の周縁部がより安定に密着・挟持されて清澄濾液への原液の漏洩混入を適宜防止することができる。
【００３１】
また、本発明において、対向する濾板間のパッキンは、図４には図示されてはいないが、図１及び図４を参照すると、対向する角形濾板１ａ，１ｂ間の内側面に、例えば、リング状パッキン４が設けられ、その四隅は濾液排出孔９［図４（ａ）参照］を外側から囲むような部位に適宜位置させることができる。
【００３２】
また、本発明における２枚のペア角形濾材は、図１、図４（ａ），（ｂ）を参照すると、その外周端は、濾板間に設けた上述するパッキン４の内側に位置し、且つこの角形濾材の四隅の円形穴５ａが、濾板に穴形に設ける濾液排出孔９に、又その中央部の円形穴５ｂが、スペーサー部材の液導入孔６に、それぞれ対応するように適宜装着させることができる。また、この２枚のペア濾材は、必要に応じて二つ折りのペア濾材であってもよく、更にはその二つ折りのペア濾材の両側を縫い合わせて袋状にしても適宜好適に使用することができる。
【００３３】
また、既に上述した本発明におけるスペーサー部材の一例として、図５（ａ），（ｂ）には肉厚円盤型が図示されている。その表面図の図５（ａ）に図示する液分散口７が、スペーサー部材の外周側面に沿って等間隔の４箇所に、液導入孔６に向け直交する貫通孔として設けられている。この液分散口７は、必要に応じて２箇所又は３箇所でもよいが、濾過室が４角形であることからより好ましくは、濾過室に均等に原液を導入させることから４箇所がより好適である。また、その切断面図を図示する図５（ｂ）を参照して、更に説明すると、スペーサー部材３の一方の端面に、同心円状の凸形突起部３ａを有し、その他方端面に、同心円状で凸形突起部３ａと少なくとも同径の凹形堀込み部３ｂを有している。既に図１で上述した如く、凸形突起部３ａ及び凹形堀込み部３ｂは、濾板締付け時にそれぞれ互いに対面する一方の濾板の原液供給孔１０の周部に設ける凹形堀込み部１０ｂ及び対向する他方濾板の原液供給孔１０の周部に設ける凸形部１０ａとが、互いに雄雌の関係で嵌合される。以上からこのスペーサー部材は、開閉式の単葉式濾過構造体において、取り外しが自在にできる形式で、濾板内に係止されることがよく判る。
【００３４】
以上から、本発明による密閉型単葉式濾過室構造体を用いることで、原液の供給がセンターフィード式である密閉型単葉式フィルタープレス及びそれを用いて、懸濁物を含有する原液を濾過処理させ懸濁物と清澄液とに分離・回収する濾過方法について、その実施の形態を図２、３を参照しながら以下に説明する。
【００３５】
図２には、本発明による密閉型単葉式濾過室構造体の複数個を締め付け連結させて得られる本発明によるセンターフィード式である密閉型単葉式フィルタープレスの一実施例について、同様に図４（ａ）に図示する密閉型単葉式濾過室構造体における濾板の対角線Ｇ１Ｇ２方向の切断面図として図示されている。図２から明らかなように、複数個の密閉型単葉式濾過室構造体をその濾板中心方向に連結させた横型設置のセンターフィード密閉型単葉式フィルタープレス３０の実施例である。
【００３６】
図２において、複数個の各密閉型単葉式濾過室構造体の原液供給口１０部位には、嵌合されている各密閉型単葉式濾過室構造体におけるスペーサー部材３の液導入孔６が連結されて［原液供給口１０−液導入孔６−原液供給口１０−液導入孔６−原液供給口１０−・・・−液導入孔６−原液供給口１０−液導入孔６−濾板１ｓの封止面］なる原液１２ａの供給流路が形成されている。また、図２から明らかなように、各密閉型単葉式濾過室構造体内にはその中央部位に設けられているスペーサー部材３を介してペア濾材２ａ，２ｂにより各濾過室が形成されている。また、この各スペーサー部材３の液導入孔６には、これに直交して開けられている（貫通している）３〜４箇所に液分散口７が、濾過室に向けて設けられている。また、既に上述した如く、この濾過室を形成させているペア濾材２ａ，２ｂは、濾板の濾過面に張られている金網上に展張して支持されている。また、濾板の濾過面には、角形濾板の四隅方向に濾液流出孔８が設けられ、それぞれ四隅に設ける濾液排出孔９に連絡されている。以上から、横型に設置されたセンターフィード密閉型単葉式フィルタープレス３０の横方向から、原液供給口１０へセンターフィードされた原液１２ａは、既に上述した供給流路によって各濾過室に導入されて懸濁物を濾別させて濾液１２ｂが、各濾液流出孔８−各濾液排出孔９を経て横方向に排出（又は回収）される。
【００３７】
また、図３には、本発明による密閉型単葉式濾過室構造体の複数個を締め付け連結させて得られる本発明によるセンターフィード式である密閉型単葉式フィルタープレスの他の実施例について図示されている。同様に密閉型単葉式濾過室構造体における濾板の対角線Ｇ１Ｇ２方向の切断面図として図示されている。図３から明らかなように、複数個の各密閉型単葉式濾過室構造体が縦方向に締め付け重ねられてなる濾過室が縦型設置である本発明によるセンターフィード密閉型単葉式フィルタープレス４０である。
【００３８】
図３から、最上段の一方濾板１ｈは上蓋となり、また、最下段の一方濾板１ｓは下蓋となり、その上蓋の中央部位の原液供給口１０部位には、スペーサー部材３の液導入孔６が嵌合されて、縦方向に重ねられた各密閉型単葉式濾過室構造体の原液供給口１０及びスペーサー部材３の液導入孔６を通して、上蓋の原液供給口からセンターフィードされた原液１２ａは［原液供給口１０−液導入孔６−原液供給口１０−液導入孔６−原液供給口１０−・・・−液導入孔６−原液供給口１０−液導入孔６−濾板１ｓの封止面］なる縦方向の下降流としての原液１２ａの供給流路が形成される。また、各密閉型単葉式濾過室構造体は、図３から明らかなように、水平方向に積み重ねられていることから、各密閉型単葉式濾過室構造体内にはそれぞれ中央部位に設けられているスペーサー部材３を介してペア濾材２ａ，２ｂにより各濾過室が横方向に形成されることになる。従って、この各スペーサー部材３の液導入孔６に直交して開けられている（貫通して）３〜４箇所の液分散口７は、各濾過室に向けて放射状に設けられ、各濾過室には略均等に原液１２ａが分散導入される。また、同様に各濾過室を形成させているペア濾材２ａ，２ｂは、濾板の濾過面に張られている金網上に展張して支持され、同様に濾板の濾過面には、角形濾板の四隅方向に濾液流出孔８が設けられ、それぞれ四隅に設ける濾液排出孔９に連絡されて、連結状態になる濾液排出孔９から降下流として濾液が排出（又は回収）される。
【００３９】
【発明の効果】
以上から、本発明による密閉型単葉式濾過室構造体は、対向する濾板間内のセンター部位に取り外し自在式に装着されているスペーサー部材を介して、この濾板内には装脱着が容易なペア濾材による単純構造の濾過室を形成することができ、しかも、このスペーサー部材を介して濾過室内に原液を導入されることから、この密閉型単葉式濾過室構造体の複数個を連結することで、濾過室が横型又は縦型設置であるセンターフィードの密閉型単葉式フィルタープレスを提供することができる。
【図面の簡単な説明】
【図１】本発明による密閉型単葉式濾過構造体の一例を表わす概念断面図である。
【図２】図１に示す本発明による密閉型単葉式濾過構造体の複数個を連結させた本発明によるセンターフィード密閉型単葉式フィルタープレスの一例の概念断面図を示す。
【図３】本発明のセンターフィールド密閉型単葉式フィルタープレスの他の実施態様を示す。
【図４】本発明に用いる角形濾板内側の表面図（ａ）及び角型濾材（ｂ）の一例を示す。
【図５】本発明に用いるスペーサー部材の一例の概念図を示す。
【図６】従来のセンターフィード型フィルタープレスの概念断面図を示す。
【符号の説明】
１，１ａ，１ｂ，１ｈ，１ｓ　角形濾板
２ａ，２ｂ　角形濾材
３　スペーサー部材
３ａ　凸形突起部
３ｂ　凹形掘り込み部
４　リング状パキング
５　円形穴（四隅の円形穴：５ａ，中央部の円形穴：５ｂ）
６　液導入孔
７　液分散口
８　濾液流出孔
９　濾液排出孔
１０　原液供給口
１０ａ　原液供給口凸形部
１０ｂ　原液供給口凹形部
１１　金網
１２ａ　原液
１２ｂ　濾液
２０　密閉型単葉式濾過室構造体
３０，４０　センターフィード密閉型単葉式フィルタープレス
【図１】
2004057921.tif 000003
【図２】
2004057921.tif 000004
【図３】
2004057921.tif 000005
【図４】
2004057921.tif 000006
【図５】
2004057921.tif 000007
【図６】
2004057921.tif 000008